(57)【要約】    【課題】大皿や小皿、中皿に載ったり、或いはけん先挿入部が玉の穴に挿入した時は勿論の事、けんを振れば必ず発光体が点滅し、興趣に富み視覚的変化を楽しみながら遊ぶことができる美的装飾効果を有するけん玉を提供する    【解決手段】略十字形状に形成されたけん２と、けん２の下端部に設けた中皿１１と、けん２と交差し横方向に張り出す皿胴６の両側端に設けた大皿７および小皿８と、けん先挿入部９と、穴４を穿設した玉３と、その玉３とけん２を糸５で繋ぎ、玉３を空中に浮かし落下する玉３を大皿７や小皿８、中皿１１に載せるか、けん先挿入部９を穴４に差し込んで遊ぶけん玉である。けん２と皿胴６を中空プラスチック製の透光性材料で形成し、けん２の内部に設けた基板１７に振動センサー１８を取り付けると共に、長さ方向の複数個所に発光体１９を配設する。振動を感知することにより発光体１９を点滅させる。    【選択図】図２
0003129118.tif 000002
【実用新案登録請求の範囲】
【請求項１】
略十字形状に形成されたけんと、けんの下端部に設けた中皿と、けんと交差し横方向に張り出す皿胴の両側端に設けた大皿および小皿と、けん先挿入部と、穴を穿設した玉と、その玉とけんを糸で繋ぎ、玉を空中に浮かし落下する玉を大皿や小皿、中皿に載せるか、けん先挿入部を穴に差し込んで遊ぶけん玉であって、けんと皿胴を中空プラスチック製の透過性材料で形成し、けんの内部に設けた基板に振動センサーを取り付けると共に、長さ方向の複数個所に発光体を配設し、振動を感知することにより発光体を点滅させるように構成したことを特徴とするけん玉。
【請求項２】
前記けんと皿胴は有色プラスチック製の透過性材料で一体的に形成されていることを特徴とする請求項１に記載のけん玉。
【請求項３】
前記発光体は赤色ＬＥＤランプ、黄色ＬＥＤランプ、緑色ＬＥＤランプ、青色ＬＥＤランプの４色であることを特徴とする請求項１または請求項２に記載のけん玉。
【考案の詳細な説明】
【技術分野】
【０００１】
本考案は、けん玉に関するものであり、さらに詳しくは、けんの内部に配設した複数個の発光体を点滅させて、興趣に富むと共に、視覚的変化を楽しみながら遊べるけん玉に関するものである。
【背景技術】
【０００２】
従来のけん玉は、木製からなる略十字状のけんと、木製で穴を穿設した球体の玉とを糸で繋いだもので、玉を空中に浮かせてけんの皿胴の両側端に形成した大皿、小皿あるいはけんの下端部に形成した中皿に載せたり、又はけん先挿入部を玉の穴に挿しこんで遊ぶものであり、古くからあるおもちゃであるが、大皿や小皿、中皿に載せたり、けん先挿入部を穴に挿し込んだりするだけでは面白味に欠けすぐに飽きられるといった問題点があった。
【０００３】
そのような欠点を解消するものとして、最近では、例えば大皿や小皿、中皿に載ったりけん先挿入部が玉の穴に挿入した時に、音を出したり、光りを発したりする変化を生じさせて興味を引くようにしたけん玉がある（例えば、特許文献１〜３参照）。
【特許文献１】実開昭６１−９４０６５号公報
【特許文献２】実開昭６２−１６６４号公報
【特許文献３】実開平３−４１４７２号公報
【考案の開示】
【考案が解決しようとする課題】
【０００４】
しかしながら、上記の特許文献１〜３のけん玉は、音を出したり、光りを発したりするのに大皿や小皿、中皿にそれぞれ検知手段を付設する必要があり、その付設作業に手間がかかりコスト高になる欠点があった。また、これらの検知手段が感知することにより、音を出したり、光りを発したりするが、その音や光は大皿や小皿、中皿に載ったり、けん先挿入部が玉の穴に挿入した時のみ発するようになっている。
【０００５】
これらの操作は相当練習して熟練しなければできないことから、折角の視覚的変化を楽しむことができなかった。また、仮にうまく大皿や小皿、中皿に載ったとしても、発光するのが一つの発光体であるから美的装飾効果もなく、視覚的な変化を楽しむことができないといった問題点があった。
【０００６】
本考案は、上記の問題を解決することを課題として研究開発されたもので、大皿や小皿、中皿に載ったり、或いはけん先挿入部が玉の穴に挿入した時は勿論の事、けんを振れば必ず発光体が点滅し、興趣に富み視覚的変化を楽しみながら遊ぶことができる美的装飾効果を有するけん玉を提供することを目的とするものである。
【課題を解決するための手段】
【０００７】
上記の課題を解決し、その目的を達成する手段として、本考案は、略十字形状に形成されたけんと、けんの下端部に設けた中皿と、けんと交差し横方向に張り出す皿胴の両側端に設けた大皿および小皿と、けん先挿入部と、穴を穿設した玉と、その玉とけんを糸で繋ぎ、玉を空中に浮かし落下する玉を大皿や小皿、中皿に載せるか、けん先挿入部を穴に差し込んで遊ぶけん玉であって、けんと皿胴を中空プラスチック製の透過性材料で形成し、けんの内部に設けた基板に振動センサーを取り付けると共に、長さ方向の複数個所に発光体を配設し、振動を感知することにより発光体を点滅させるように構成したことを特徴とするけん玉を開発し、採用した。
【０００８】
また、本考案は、上記のように構成したけん玉において、前記けんと皿胴は有色プラスチック製の透過性材料で一体的に形成されていることを特徴とするけん玉、および前記発光体は赤色ＬＥＤランプ、黄色ＬＥＤランプ、緑色ＬＥＤランプ、青色ＬＥＤランプの４色であることを特徴とするけん玉を開発し、採用した。  
【考案の効果】
【０００９】
本考案は、けんの内部に設けた基板に振動センサーと発光体を取り付けてあるから、けんを振るたびに振動センサーが働き、発光体が点滅し明るくなったり、暗くなったりして興趣に富み意匠的効果を発揮でき美麗な視覚的変化を楽しみながら遊ぶことができる。また、大皿や小皿、中皿に載ったり、或いはけん先挿入部が玉の穴に挿入した時にも振動センサーが働き、発光体が点滅するのは勿論である。そして発光体は、けんの長さ方向の複数箇所に配設されているから、点滅すればけんの長さ全体にわたって明るく照らしだされ美麗になる。
【００１０】
また、けんと皿胴は有色の透過性材料で中空一体的に形成されているから、従来のけんのように、けんと皿胴のずれ動きがなくなると共に、発光体が点滅すればその有色と相俟って美しい色合いになる。さらに、発光体は消費電力の少ないＬＥＤランプであり、バッテリーに負担をかけず、明るい昼間でも視認性に優れ、かつ長寿命で球切れの心配がない。また、ＬＥＤランプの色は赤、黄、緑、青の４色であることから、発光すれば色彩豊かで美的装飾効果を発揮できる。
【考案を実施するための最良の形態】
【００１１】
以下に本考案の実施の形態を添付図面に基づいて説明すれば、図１〜図２は本考案のけん玉の一例を示す正面図と縦断正面図である。けん玉１は、略十字形状のけん２と、球状の玉３とからなり、玉３には穴４を穿設してあり、これらが所定長さの糸５によって連結されている。
【００１２】
けん２は、有色の透過性プラスチック材料で中空円錐状に形成されており、その上方部には横方向に張り出す鼓形の皿胴６が一体的に形成されている。皿胴６もけん２と同様の有色の透過性プラスチック材料で中空体に形成されている。
【００１３】
皿胴６の一側端には不透明プラスチック材料の大皿７が設けられその内部に円弧状の凹部７ａが形成されており、他側端には小皿８が設けられその内部に円弧状の凹部８ａが形成されている。一方、けん先挿入部９は玉３に穿設された穴４に差し込めるように、穴４の径より小径となるようにテーパー状に形成されている。また、けん２の下端部は不透明プラスチック材料の電池ケース１０と結合されており、その底部が中皿１１に形成されてあり、その内部に円弧状の凹部１１ａが形成されている。
【００１４】
１２は電池ケース１０の正面部に設けた蓋体、１３はその蓋体１２を着脱するときのビス、１４は電池収納凹部、１５はその電池収納凹部１４に収納するボタン電池、１６は電源スイッチである。
【００１５】
１７はけん２と電池ケース１０の中空部の長さ方向に配設した縦長状のプリント基板で
、上方から下方に向かって徐々に幅広く形成されており、電池ケース１０に位置する部分が矩形状になっている。その下端部の裏面側に振動センサー１８を取り付けてあると共に、けん２の中空部下方から上方に向かって一定間隔毎に発光体１９が取り付けられている。
【００１６】
すなわち、下方から順番に青色ＬＥＤランプ１９ａ、緑色ＬＥＤランプ１９ｂ、黄色ＬＥＤランプ１９ｃ、赤色ＬＥＤランプ１９ｄが配置されてあり、これら各ＬＥＤランプ１９ａ、１９ｂ、１９ｃ、１９ｄは基板１７のＩＣチップ２０によって予め設定されている発光モードを自動的に起動することにより各ＬＥＤランプ１９ａ、１９ｂ、１９ｃ、１９ｄを点滅させるようになっている。
【００１７】
このように構成したけん玉の使用例を説明すると、電池ケース１０の側面に突出している電源スイッチ１６をＯＮにした状態で、通常のけん玉遊びと同様に、玉を浮かせて大皿７や小皿８、中皿１１に載せたり、けん先挿入部９を玉３の穴４に差し込んで遊ぶのは同じであるが、けん２を振れば、基板１７の下端部に取り付けた振動センサー１６が働き、電池１３から各ＬＥＤランプ１９ａ、１９ｂ、１９ｃ、１９ｄを通電するための回路を閉じて点滅することにより、色彩豊かで興趣に富み美麗な意匠的効果を発揮させることができて視覚的変化を楽しみながら遊べるものである。
【００１８】
以上、本考案の実施の形態について説明したが、本考案はこれらの実施の形態に限定されるものではなく、考案の目的を達成でき、且つ考案の要旨を逸脱しない範囲内で種々の設計変更が可能であることは当然である。
【産業上の利用可能性】
【００１９】
本考案は、子供のおもちゃとして遊ぶけん玉ばかりでなく、本格的な競技用のけん玉にも利用できるものである。
【図面の簡単な説明】
【００２０】
【図１】本考案のけん玉の正面図である。
【図２】本考案のけん玉の縦断正面図である。
【符号の説明】
【００２１】
１    けん玉      
２    けん    
３    玉    
４    穴    
５    糸    
６    皿胴
７    大皿
８    小皿
９    けん先挿入部
１１  中皿
１７  基板
１８  振動センサー
１９  発光体
【図１】
0003129118.tif 000003
【図２】
0003129118.tif 000004
【手続補正書】
【提出日】平成18年11月22日(2006.11.22)
【手続補正１】
【補正対象書類名】実用新案登録請求の範囲
【補正対象項目名】全文
【補正方法】変更
【補正の内容】
【実用新案登録請求の範囲】
【請求項１】
略十字形状に形成されたけんと、けんの下端部に設けた中皿と、けんと交差し横方向に張り出す皿胴の両側端に設けた大皿および小皿と、けん先挿入部と、穴を穿設した玉と、その玉とけんを糸で繋ぎ、玉を空中に浮かし落下する玉を大皿や小皿、中皿に載せるか、けん先挿入部を穴に差し込んで遊ぶけん玉であって、けんと皿胴を中空プラスチック製の透光性材料で形成し、けんの内部に設けた基板に振動センサーを取り付けると共に、長さ方向の複数個所に発光体を配設し、振動を感知することにより発光体を点滅させるように構成したことを特徴とするけん玉。
【請求項２】
前記けんと皿胴は有色プラスチック製の透光性材料で一体的に形成されていることを特徴とする請求項１に記載のけん玉。
【請求項３】
前記発光体は赤色ＬＥＤランプ、黄色ＬＥＤランプ、緑色ＬＥＤランプ、青色ＬＥＤランプの４色であることを特徴とする請求項１または請求項２に記載のけん玉。
【手続補正２】
【補正対象書類名】明細書
【補正対象項目名】全文
【補正方法】変更
【補正の内容】
【考案の詳細な説明】
【技術分野】
【０００１】
本考案は、けん玉に関するものであり、さらに詳しくは、けんの内部に配設した複数個の発光体を点滅させて、興趣に富むと共に、視覚的変化を楽しみながら遊べるけん玉に関するものである。
【背景技術】
【０００２】
従来のけん玉は、木製からなる略十字状のけんと、木製で穴を穿設した球体の玉とを糸で繋いだもので、玉を空中に浮かせてけんの皿胴の両側端に形成した大皿、小皿あるいはけんの下端部に形成した中皿に載せたり、又はけん先挿入部を玉の穴に挿しこんで遊ぶものであり、古くからあるおもちゃであるが、大皿や小皿、中皿に載せたり、けん先挿入部を穴に挿し込んだりするだけでは面白味に欠けすぐに飽きられるといった問題点があった。
【０００３】
そのような欠点を解消するものとして、最近では、例えば大皿や小皿、中皿に載ったりけん先挿入部が玉の穴に挿入した時に、音を出したり、光りを発したりする変化を生じさせて興味を引くようにしたけん玉がある（例えば、特許文献１〜３参照）。
【特許文献１】実開昭６１−９４０６５号公報
【特許文献２】実開昭６２−１６６４号公報
【特許文献３】実開平３−４１４７２号公報
【考案の開示】
【考案が解決しようとする課題】
【０００４】
しかしながら、上記の特許文献１〜３のけん玉は、音を出したり、光りを発したりするのに大皿や小皿、中皿にそれぞれ検知手段を付設する必要があり、その付設作業に手間がかかりコスト高になる欠点があった。また、これらの検知手段が感知することにより、音を出したり、光りを発したりするが、その音や光は大皿や小皿、中皿に載ったり、けん先挿入部が玉の穴に挿入した時のみ発するようになっている。
【０００５】
これらの操作は相当練習して熟練しなければできないことから、折角の視覚的変化を楽しむことができなかった。また、仮にうまく大皿や小皿、中皿に載ったとしても、発光するのが一つの発光体であるから美的装飾効果もなく、視覚的な変化を楽しむことができないといった問題点があった。
【０００６】
本考案は、上記の問題を解決することを課題として研究開発されたもので、大皿や小皿、中皿に載ったり、或いはけん先挿入部が玉の穴に挿入した時は勿論の事、けんを振れば必ず発光体が点滅し、興趣に富み視覚的変化を楽しみながら遊ぶことができる美的装飾効果を有するけん玉を提供することを目的とするものである。
【課題を解決するための手段】
【０００７】
上記の課題を解決し、その目的を達成する手段として、本考案は、略十字形状に形成されたけんと、けんの下端部に設けた中皿と、けんと交差し横方向に張り出す皿胴の両側端に設けた大皿および小皿と、けん先挿入部と、穴を穿設した玉と、その玉とけんを糸で繋ぎ、玉を空中に浮かし落下する玉を大皿や小皿、中皿に載せるか、けん先挿入部を穴に差し込んで遊ぶけん玉であって、けんと皿胴を中空プラスチック製の透光性材料で形成し、けんの内部に設けた基板に振動センサーを取り付けると共に、長さ方向の複数個所に発光体を配設し、振動を感知することにより発光体を点滅させるように構成したことを特徴とするけん玉を開発し、採用した。
【０００８】
また、本考案は、上記のように構成したけん玉において、前記けんと皿胴は有色プラスチック製の透光性材料で一体的に形成されていることを特徴とするけん玉、および前記発光体は赤色ＬＥＤランプ、黄色ＬＥＤランプ、緑色ＬＥＤランプ、青色ＬＥＤランプの４色であることを特徴とするけん玉を開発し、採用した。  
【考案の効果】
【０００９】
本考案は、けんの内部に設けた基板に振動センサーと発光体を取り付けてあるから、けんを振るたびに振動センサーが働き、発光体が点滅し明るくなったり、暗くなったりして興趣に富み意匠的効果を発揮でき美麗な視覚的変化を楽しみながら遊ぶことができる。また、大皿や小皿、中皿に載ったり、或いはけん先挿入部が玉の穴に挿入した時にも振動センサーが働き、発光体が点滅するのは勿論である。そして発光体は、けんの長さ方向の複数箇所に配設されているから、点滅すればけんの長さ全体にわたって明るく照らしだされ美麗になる。
【００１０】
また、けんと皿胴は有色の透光性材料で中空一体的に形成されているから、従来のけんのように、けんと皿胴のずれ動きがなくなると共に、発光体が点滅すればその有色と相俟って美しい色合いになる。さらに、発光体は消費電力の少ないＬＥＤランプであり、バッテリーに負担をかけず、明るい昼間でも認識性に優れ、かつ長寿命で球切れの心配がない。また、ＬＥＤランプの色は赤、黄、緑、青の４色であることから、発光すれば色彩豊かで美的装飾効果を発揮できる。
【考案を実施するための最良の形態】
【００１１】
以下に本考案の実施の形態を添付図面に基づいて説明すれば、図１〜図２は本考案のけん玉の一例を示す正面図と縦断正面図である。けん玉１は、略十字形状のけん２と、球状の玉３とからなり、玉３には穴４を穿設してあり、これらが所定長さの糸５によって連結されている。
【００１２】
けん２は、有色の透光性プラスチック材料で中空円錐状に形成されており、その上方部には横方向に張り出す鼓形の皿胴６が一体的に形成されている。皿胴６もけん２と同様の有色の透光性プラスチック材料で中空体に形成されている。
【００１３】
皿胴６の一側端には不透明プラスチック材料の大皿７が設けられその内部に円弧状の凹部７ａが形成されており、他側端には小皿８が設けられその内部に円弧状の凹部８ａが形成されている。一方、けん先挿入部９は玉３に穿設された穴４に差し込めるように、穴４の径より小径となるようにテーパー状に形成されている。また、けん２の下端部は不透明プラスチック材料の電池ケース１０と結合されており、その底部が中皿１１に形成されてあり、その内部に円弧状の凹部１１ａが形成されている。
【００１４】
１２は電池ケース１０の正面部に設けた蓋体、１３はその蓋体１２を着脱するときのビス、１４は電池収納凹部、１５はその電池収納凹部１４に収納するボタン電池、１６は電源スイッチである。
【００１５】
１７はけん２と電池ケース１０の中空部の長さ方向に配設した縦長状のプリント基板で
、上方から下方に向かって徐々に幅広く形成されており、電池ケース１０に位置する部分が矩形状になっている。その下端部の裏面側に振動センサー１８を取り付けてあると共に、けん２の中空部下方から上方に向かって一定間隔毎に発光体１９が取り付けられている。
【００１６】
すなわち、下方から順番に青色ＬＥＤランプ１９ａ、緑色ＬＥＤランプ１９ｂ、黄色ＬＥＤランプ１９ｃ、赤色ＬＥＤランプ１９ｄが配置されてあり、これら各ＬＥＤランプ１９ａ、１９ｂ、１９ｃ、１９ｄは基板１７のＩＣチップ２０によって予め設定されている発光モードを自動的に起動することにより各ＬＥＤランプ１９ａ、１９ｂ、１９ｃ、１９ｄを点滅させるようになっている。
【００１７】
このように構成したけん玉の使用例を説明すると、電池ケース１０の側面に突出している電源スイッチ１６をＯＮにした状態で、通常のけん玉遊びと同様に、玉を浮かせて大皿７や小皿８、中皿１１に載せたり、けん先挿入部９を玉３の穴４に差し込んで遊ぶのは同じであるが、けん２を振れば、基板１７の下端部に取り付けた振動センサー１６が働き、電池１３から各ＬＥＤランプ１９ａ、１９ｂ、１９ｃ、１９ｄを通電するための回路を閉じて点滅することにより、色彩豊かで興趣に富み美麗な意匠的効果を発揮させることができて視覚的変化を楽しみながら遊べるものである。
【００１８】
以上、本考案の実施の形態について説明したが、本考案はこれらの実施の形態に限定されるものではなく、考案の目的を達成でき、且つ考案の要旨を逸脱しない範囲内で種々の設計変更が可能であることは当然である。
【産業上の利用可能性】
【００１９】
本考案は、子供のおもちゃとして遊ぶけん玉ばかりでなく、本格的な競技用のけん玉にも利用できるものである。
【図面の簡単な説明】
【００２０】
【図１】本考案のけん玉の正面図である。
【図２】本考案のけん玉の縦断正面図である。
【符号の説明】
【００２１】
１    けん玉      
２    けん    
３    玉    
４    穴    
５    糸    
６    皿胴
７    大皿
８    小皿
９    けん先挿入部
１１  中皿
１７  基板
１８  振動センサー
１９  発光体